(57)【要約】      （修正有）【課題】ガード体を設けて使用者の前板部材への接触を防止するだけでなく、グリル扉の清掃性の低下を防止した加熱調理器を提供する。【解決手段】加熱調理器のグリル扉２にガード体１７を設ける。ガード体１７は、前板部材１４を覆うガード部１８と、取っ手部材１６に固定する固定部１９とを備える。固定部１９は、取っ手部材１６の上下面の一方に当接する第１当接部２０と他方に当接する第２当接部２３とを備える。両当接部２０，２３により取っ手部材１６の少なくとも一部を上下から挟持する。【選択図】図２
2019143864.tif 000002
【特許請求の範囲】
【請求項１】
被加熱物を出し入れするための開口部が前面に形成されたグリル庫と、該グリル庫の前記開口部を開閉するグリル扉とを備え、該グリル扉は、前方に突出して使用者が把持する取っ手部材と、前記グリル庫の前記開口部を覆う前板部材とを備え、該グリル扉の前方にガード体が設けられた加熱調理器において、
前記ガード体は、前記前板部材を覆うガード部と、該ガード部を前記取っ手部材に固定する固定部とを備え、
前記固定部は、前記取っ手部材の上下面の一方に当接する第１当接部と他方に当接する第２当接部とを備えて、両当接部により前記取っ手部材の少なくとも一部を上下から解除可能に挟持することを特徴とする加熱調理器。
【請求項２】
請求項１記載の加熱調理器において、
前記第２当接部は、前記第１当接部が前記取っ手部材に当接した状態で、前記取っ手部材に離反可能に当接すると共に、前記取っ手部材に対する当接位置が、異なる複数の位置から選択可能とされていることを特徴とする加熱調理器。
【請求項３】
請求項２記載の加熱調理器において、
前記第１当接部は、前記取っ手部材に当接する基部と、該基部の反対側から前記取っ手部材に対向して前記第２当接部を支持する支持部と、該支持部と前記基部とを前記取っ手部材の前方を跨いで一体に連結する連結部とを備え、
前記支持部は、複数のネジ孔を備え、
前記第２当接部は、前記支持部の前記ネジ孔に螺合可能なネジ部材であることを特徴とする加熱調理器。
【請求項４】
請求項１〜３の何れか１項記載の加熱調理器において、
前記ガード体は、前記グリル扉の前記前板部材の前方を覆った状態で、前記取っ手部材の前方に配置される手掛け部を備えることを特徴とする加熱調理器。
【請求項５】
請求項１〜４の何れか１項記載の加熱調理器において、
前記ガード体の前記固定部は、前記ガード部に着脱自在に連結されていることを特徴とする加熱調理器。
【発明の詳細な説明】
【技術分野】
【０００１】
本発明は、前方がグリル扉により開閉されるグリル庫を備える加熱調理器に関する。
【背景技術】
【０００２】
従来、この種の加熱調理器として、例えばグリル付きコンロにおいては、調理中に熱くなったグリル扉への接触を防止するために、ガード体が設けられることが知られている（例えば、下記特許文献１参照）。
【０００３】
ガード体は、グリル扉のガラス板等の前板部材を覆うガード部と、グリル扉の取っ手部材に固定する固定部とを備えている。固定部には、ガード部の下方に延びる脚状突起が形成されている。取っ手部材には、固定部の脚状突起が挿入するスリット状の孔が形成されている。
【先行技術文献】
【特許文献】
【０００４】
【特許文献１】特開２００９−２０４１８０号公報
【発明の概要】
【発明が解決しようとする課題】
【０００５】
しかし、上記従来のものでは、固定部の突起に対応する孔を、予めグリル扉の取っ手部材に形成しておく必要がある。そして、取っ手部材に形成されている孔は、上向きに開口していることにより、塵埃等が入り易い。このため、グリル扉の清掃時にガード体を取り外しても、取っ手部材の孔の内部の汚れを取り除くことが困難であり、清掃性が低い不都合がある。
【０００６】
上記の点に鑑み、本発明は、ガード体を設けて使用者の前板部材への接触を防止するだけでなく、グリル扉の清掃性の低下を防止した加熱調理器を提供することを目的とする。
【課題を解決するための手段】
【０００７】
かかる目的を達成するために、本発明は、被加熱物を出し入れするための開口部が前面に形成されたグリル庫と、該グリル庫の前記開口部を開閉するグリル扉とを備え、該グリル扉は、前方に突出して使用者が把持する取っ手部材と、前記グリル庫の前記開口部を覆う前板部材とを備え、該グリル扉の前方にガード体が設けられた加熱調理器において、前記ガード体は、前記前板部材を覆うガード部と、該ガード部を前記取っ手部材に固定する固定部とを備え、前記固定部は、前記取っ手部材の上下面の一方に当接する第１当接部と他方に当接する第２当接部とを備えて、両当接部により前記取っ手部材の少なくとも一部を上下から解除可能に挟持することを特徴とする。
【０００８】
グリル扉の前方に設けられたガード体により、使用者が前板部材に不用意に接触することがなく、使用者の熱さによる不快感を軽減することができる。
【０００９】
また、ガード体は、固定部によって第１当接部と第２当接部とが取っ手部材を挟持することで、取っ手部材に固定されるので、取っ手部材に対する挟持を解除するだけでグリル扉からの取り外しが容易である。
【００１０】
しかも、ガード体の固定部は、第１当接部と第２当接部とが取っ手部材を挟持する構成とされている。このため、グリル扉の取っ手部材には、従来のようなガード体の一部を挿入するための孔やスリットを形成する必要がない。これにより、取っ手部材の構造が複雑とならず、また汚れ等が孔やスリットへ浸入し付着することもないので、清掃性の低下が防止できる。更に、取っ手部材が前板部材の下方に設けられたグリル扉だけでなく、取っ手部材が前板部材の上方に設けられているグリル扉であっても、第１当接部と第２当接部とが取っ手部材を挟持してガード体を確実に固定することができる。
【００１１】
また、本発明において、前記第２当接部は、前記第１当接部が前記取っ手部材に当接した状態で、前記取っ手部材に離反可能に当接すると共に、前記取っ手部材に対する当接位置が、異なる複数の位置から選択可能とされていることを特徴とする。
【００１２】
これによれば、取っ手部材に対して第２当接部を当接させるための好適位置を選択することができるので、取っ手部材の形状によらず安定して挟持状態を形成することができる。これにより、形状の異なる取っ手部材を有するグリル扉に対して、ガード体の固定部の形状を変更することが不要となり、ガード部材を共通に用いてコストの増加を抑えることができる。
【００１３】
このとき、前記第１当接部は、前記取っ手部材に当接する基部と、該基部の反対側から前記取っ手部材に対向して前記第２当接部を支持する支持部と、該支持部と前記基部とを前記取っ手部材の前方を跨いで一体に連結する連結部とを備え、前記支持部は、複数のネジ孔を備え、前記第２当接部は、前記支持部の前記ネジ孔に螺合可能なネジ部材であることが好ましい。
【００１４】
第２当接部がネジ部材であることにより、ネジ部材を回転させるだけで、グリル扉に対するガード体の付け外しを容易に行うことができ、しかも、強固な挟持状態を得ることができる。
【００１５】
更に、支持部に複数のネジ孔が形成されていることにより、何れのネジ孔にもネジ部材を螺合させることができる。これによって、取っ手部材に対するネジ部材の当接位置も選択可能であるから、取っ手部材の形状に応じた好適な位置に第２当接部であるネジ部材を当接させることができる。
【００１６】
また、本発明において、前記ガード体は、前記グリル扉の前記前板部材の前方を覆った状態で、前記取っ手部材の前方に配置される手掛け部を備えることを特徴とする。
【００１７】
グリル扉の取っ手部材の形状によっては、ガード体を取り付けることにより取っ手部材の把持領域が狭くなってしまう場合があり、グリル扉の開閉が円滑に行えなくなるおそれがある。
【００１８】
それに対し、本発明によれば、グリル扉の取っ手部材の把持領域が狭くても、ガード体に設けた手掛け部を把持することができ、グリル扉の開閉を円滑に行うことができる。
【００１９】
また、本発明において、前記ガード体の前記固定部は、前記ガード部に着脱自在に連結されていることが好ましい。固定部がガード部から着脱自在に設けられていることにより、ガード部の形状を共通として取っ手部材の形状に合わせて固定部を交換することができ、或いは、固定部の形状を共通として前板部材の形状に合わせてガード部を交換することができる。これにより、ガード部と固定部との組み合わせによって、ガード体をグリル扉の形状に合わせることが極めて容易に且つ安価に行うことができる。
【図面の簡単な説明】
【００２０】
【図１】本発明の実施形態のグリル付きガスコンロの正面図。
【図２】グリル扉とガード体を示す斜視図。
【図３】図２のIII−III線断面図。
【図４】他の形状の取っ手部材へのガード体の取り付け状態を示す図。
【図５】他の実施形態におけるグリル扉とガード体を示す斜視図。
【図６】図５のVI−VI線断面説明図。
【図７】ガード体の変形例を示す図。
【発明を実施するための形態】
【００２１】
本発明の実施形態を図面に基づいて説明する。図１に示す本実施形態のグリル付きガスコンロ１は、本発明の加熱調理器に相当するものである。図１に示すように、グリル付きガスコンロ１の前面側の中央部には、グリル扉２が設けられている。グリル扉２は、グリル付きガスコンロ１の内部に設けられた図示しないグリル庫に被加熱物を出し入れする際に、グリル庫の前面開口部を開閉するものである。
【００２２】
グリル付きガスコンロ１は、システムキッチンのカウンタトップＷに組み込むビルトイン式であり、上面を開放面とする箱形のコンロ本体３を備えている。コンロ本体３の上部には天板４が設けられ、天板４からはコンロ本体３に支持されたコンロバーナ５，６，７が上方に露出している。グリル付きガスコンロ１の前面側におけるグリル扉２の両側には、各コンロバーナ５，６，７用の操作スイッチ８，９，１０や、グリル庫内の図示しないグリルバーナ用の操作スイッチ１１等が設けられている。
【００２３】
グリル扉２は、図２に示すように、扉枠１２と、扉枠１２に開設した窓部１３に嵌め込まれた前板部材１４と、前板部材１４の下縁側に位置して扉枠１２に連結されたパネル部材１５と、パネル部材１５の前面側に設けられた取っ手部材１６とを備えている。前板部材１４は、本実施形態においては、透明のガラス板が採用されており、グリル庫内部が視認可能となっているが、ガラス板に限らず、例えば、コンロ本体３やシステムキッチンのデザインに合わせた色や材質の板部材が採用されている場合もある。
【００２４】
また、グリル扉２は、図示しないが、グリル庫内に収納するグリル皿を抱持する引出し枠の前端に連結されている。これにより、図１に示す状態から取っ手部材１６を把持してグリル扉２を前方に引いたとき、グリル庫の前面開口部が開かれると共に、引出し枠を介してグリル皿がグリル庫から引き出されるようになっている。
【００２５】
ところで、取っ手部材１６は耐熱性を有する合成樹脂によって形成されているため、グリル庫内が高熱であっても、熱さを然程感じることなく把持することができる。しかし、前板部材１４は、ガラス板等の比較的肉薄の板材によって形成されているため、使用者等が前板部材１４に触れた場合には熱さを感じて不快である。
【００２６】
そこで、グリル扉２の前方位置に、ガード体１７が取り付けられる。ガード体１７は、図２及び図３に示すように、ガード部１８と固定部１９とを備えている。
【００２７】
ガード部１８は、金属製の線材又は棒材により網状に形成され、前板部材１４を覆っている。このとき、ガード部１８は、前板部材１４には接触しないように配置されることが好ましい。これによれば、ガード部１８への前板部材１４からの熱の伝達を抑えることができる。
【００２８】
ガード部１８は、線材又は棒材以外に、板金により梯子状又は格子状に形成したものでもよく、板状に形成されていてもよい。また、ガード部１８は、金属材料以外に、耐熱性を有する合成樹脂材料を採用してもよい。
【００２９】
固定部１９は、取っ手部材１６を第１当接部と第２当接部とで上下方向から挟持する構成であり、第１当接部は、基部２０と連結部２１と支持部２２とによって構成され、第２当接部は、ネジ部材２３によって構成されている。第１当接部の基部２０は、ガード部１８の下端部から前方に延出された延出部２４に溶接されている。
【００３０】
第１当接部の支持部２２は、第２当接部であるネジ部材２３を支持する部分であり、連結部２１により基部２０に連結されている。連結部２１は、取っ手部材１６の前方を跨いで基部２０と支持部２２とを一体に連結している。支持部２２にはネジ孔２５が形成されている。
【００３１】
第２当接部であるネジ部材２３は、図３に示すように、ネジ軸２３ａとネジ頭部２３ｂとを備え、支持部２２のネジ孔２５には、ネジ部材２３のネジ軸２３ａが螺合する。ネジ部材２３は、ネジ頭部２３ｂを回転操作することにより、回転方向に応じてネジ軸２３ａが上下に進退する。
【００３２】
そして、ネジ軸２３ａの先端（図中上端）が取っ手部材１６の下面に当接することで、第１当接部の基部２０と、第２当接部であるネジ部材２３とで取っ手部材１６が挟持され、ガード部１８が前板部材１４を覆う位置に固定される。なお、本実施形態においては、第１当接部の基部２０が延出部２４を介して取っ手部材１６に当接しているが、実質的に、第１当接部の基部２０と第２当接部であるネジ部材２３とで取っ手部材１６を挟持した状態となっている。
【００３３】
このように、固定部１９が、取っ手部材１６を第１当接部と第２当接部とで上下方向から挟持する構成であることにより、取っ手部材１６にガード体１７を連結固定するための構造（従来のような孔やスリット）を設けることなくガード体１７をグリル扉２に固定することができる。これにより、固定部１９のネジ部材２３を回転操作するだけで、グリル扉２に対するガード体１７の付け外しが行えるだけでなく、取っ手部材１６には汚れが取り難い孔やスリットが不要なので、清掃性が良い。
【００３４】
また、上記固定部１９のようにネジ部材２３の進退による挟持固定を採用することで、取っ手部材１６の形状に依存することなくガード体１７を取り付けることができる。
【００３５】
更に、図４に示すように、第１当接部の支持部２２の複数個所にネジ孔２５を設けておくことが好ましい。これによれば、図２に示した取っ手部材１６と異なる形状の、図４に示した取っ手部材２６であっても、ネジ部材２３の先端が最も安定して当接する位置のネジ孔２５を選択してネジ部材２３を螺合させるだけで確実に挟持することができる。
【００３６】
また、他の実施形態として、図５及び図６に示すように、ガード体２７に手掛け部２８を設けておくことも可能である。図５及び図６にはガード体２７を取り付けたグリル扉２９のみを示している。なお、図５及び図６において、前述した実施形態のグリル扉２９と同様の構成部分は同一符号を付してその説明を省略する。
【００３７】
他の実施形態におけるグリル扉２９は、比較的上下に薄手の取っ手部材３０を備えている。この形状の取っ手部材３０では、取っ手部材３０の上下面を指で摘むようにしてグリル扉２９の開閉操作が行われる。しかし、ガード体２７のガード部３１が取っ手部材３０の上方に張り出していると、取っ手部材３０を指で摘む際にガード部３１が邪魔になる場合がある。
【００３８】
そこで、ガード体２７の固定部３２に、取っ手部材３０の前方に垂下する手掛け部２８を設けている。これによれば、手掛け部２８に指を掛けることができ、グリル扉２９の開閉操作を円滑に行うことができる。
【００３９】
また、上記の実施形態においては、第２当接部としてネジ部材２３を採用したガード体１７，２７を示したが、これ以外に、図７に示すように、ガード体３３の固定部３４を、弾性を有する材料で形成し、取っ手部材３０を弾発的に挟持するように構成してもよい。
【００４０】
即ち、ガード体３３の固定部３４はガード部３５の下部に連設され、基部３６と連結部３７とで第１当接部を構成し、板状部３８で第２当接部を構成している。基部３６と連結部３７と板状部３８とは、板状のバネ材により一体に形成され、板状部３８と基部３６とが対向して互いに近接する方向に弾性を有する。
【００４１】
この構成により、固定部３４の基部３６と板状部３８とで取っ手部材３０を弾発的に挟持し、ガード体３３がグリル扉２９に固定された状態となる。そして、ガード体３３は、その固定部３４を前後方向にスライドさせるだけで、グリル扉２９に対するガード体３３の付け外しを行うことができる。
【００４２】
なお、図７に示したグリル扉２９は、図５に示したものと同じ構成である。図７に示すガード体３３は、取っ手部材３０の下面に板状部３８を圧接する構成のため、ネジ部材２３によって固定するガード体１７，２７（図２、図５参照）に比べてグリル扉２９への固定強度が僅かに低くなる。しかし、ネジ部材２３のような回転操作が不要となるだけでなく、ネジ部材２３とネジ孔２５とが汚れにより固着してネジ部材２３の回転操作が行い難くなるといったことがないため、ガード体３３の付け外しの際の作業性が良く、固定部の構造も簡単のため清掃性も高い。
【００４３】
なお、以上の実施形態において採用したガード体１７（２７，３３）は、固定部１９（３２，３４）がガード部１８（３１，３５）に一体的に連結されているが、これ以外に、図示しないが、ガード部と固定部とを分離可能な別部品とし、固定部をガード部にネジ留めする等により着脱自在に連結してガード体を構成してもよい。これによれば、ガード部と固定部とを夫々複数種類用意して組み合わせることで、複数種類のグリル扉に対応するガード体を安価に且つ容易に得ることができる。
【００４４】
また、上記の実施形態においては、グリル扉２の扉枠１２の窓部１３が開口されているものを挙げて説明したが、図示しないが、窓部の形成位置が開口されていない扉枠を採用したグリル扉であっても、上記のガード体１７（２７，３３）を設けて同様の効果を得ることができる。
【００４５】
また、上記実施形態では、前板部材１４の下方に設けられた取っ手部材１６（２６，３０）にガード体１７（２７，３３）を設けたグリル扉２を挙げたが、図示しないが、本発明は、取っ手部材が前板部材の下方に設けられているグリル扉を有するものであっても好適に採用することができる。
【００４６】
また、上記実施形態では、加熱調理器としてグリル付きガスコンロ１を挙げて説明したが、これ以外に、図示しないが、グリル付き誘導加熱調理器やグリル付きヒータ加熱調理器等であっても本発明を好適に採用することができる。
【符号の説明】
【００４７】
１…グリル付きガスコンロ（加熱調理器）、２…グリル扉、１４…前板部材、１６，２６，３０…取っ手部材、１７，２７，３３…ガード体、１８，３１，３５…ガード部、１９，３２，３４…固定部、２０，３６…基部（第１当接部）、２１，３７…連結部、２２…支持部、２３…ネジ部材（第２当接部）、２５…ネジ孔、２８…手掛け部、３８…板状部（第２当接部）。
【図１】
2019143864.tif 000003
【図２】
2019143864.tif 000004
【図３】
2019143864.tif 000005
【図４】
2019143864.tif 000006
【図５】
2019143864.tif 000007
【図６】
2019143864.tif 000008
【図７】
2019143864.tif 000009